(57)【要約】      （修正有）【課題】住戸内にて発生したセキュリティ異常の警報発報を住戸外に報知し、計時機能をもとに視覚的及び聴覚的報知手段を制御することにより、異常の発生履歴を住戸外から容易に確認させて防犯性を高める。【解決手段】セキュリティ異常が検知されると、親機３のＣＰＵ３１３の制御により第１の計時部３１０にて計時される警報発報時間内、親機スピーカ３０４及び子機スピーカ１０５から警報発報を行い、この計時がタイムアップすると警報発報が停止される。第２の計時部３１１にて計時される警報発報の動作が開始してから警報発報停止ボタン３０９ｄが操作されるまでの時間をもとに、警報発報停止ボタンの操作の有効又は無効を判別し、居住者の操作の場合にのみ有効であると判別して子機警報表示灯１０７からの警報発報を停止させる。一方、住戸内に侵入した泥棒等の不審者による操作の場合には無効として子機警報表示灯からの警報発報を保持する。【選択図】図１
2009053817.tif 000002
【特許請求の範囲】
【請求項１】
住戸外に設置されカメラ（１０１）を有する玄関子機（１）と、住戸内に設置され伝送路（Ｌ1）を経由して前記玄関子機に接続され、前記玄関子機からの呼び出しに応答して通話を成立させるとともに前記玄関子機の前記カメラにて撮像された映像を出画するためのモニタ（３００）を有する居室親機（３）と、前記居室親機に少なくとも１台接続可能であり、住戸内にて発生するセキュリティ異常を検知するためのセンサ（２）とが設けられ、
前記玄関子機には、前記センサにて検知されたセキュリティ異常を警報発報するための子機スピーカ（１０５）及び子機警報表示灯（１０７）を備え、
前記居室親機には、前記センサにて検知されたセキュリティ異常を警報発報するための親機スピーカ（３０４）及び親機警報表示灯（３０７）と、前記親機スピーカ及び前記玄関子機の前記子機スピーカにて行う警報発報時間を計時するための第１の計時部（３１０）と、前記玄関子機の前記子機スピーカ、前記親機スピーカ及び前記親機警報表示灯の使用による警報発報の動作をそれぞれ停止させるための警報発報停止ボタン（３０９ｄ）と、前記警報発報の動作が開始してから前記警報発報停止ボタンが操作されるまでの時間を計時するための第２の計時部（３１１）と、前記警報発報停止ボタンの操作の有効又は無効を前記第２の計時部により判別し、前記玄関子機の前記子機警報表示灯の使用による警報発報を制御するためのＣＰＵ（３１３）とを備えたことを特徴とするテレビドアホン装置。
【請求項２】
前記居室親機には、前記玄関子機の前記子機警報表示灯の警報発報パターンを設定・変更するための操作画面と前記警報発報停止ボタンの操作が有効又は無効であるかを判別するための時間を変更する操作画面とをそれぞれ記憶するための画面記憶部（３１２）と、前記画面記憶部から読み出した前記操作画面を前記モニタに表示させるためのＣＰＵ（３１３）とを備えたことを特徴とする請求項１記載のテレビドアホン装置。
【発明の詳細な説明】
【技術分野】
【０００１】
本発明は、玄関子機からの呼び出しに応答して当該玄関子機及び居室親機の間で通話を成立させるとともに、玄関子機のカメラにて撮像された映像を居室親機のモニタに出画するテレビドアホン装置に係り、特に、住戸内にて発生するセキュリティ異常の警報発報の制御を行うことができるテレビドアホン装置に関する。
【背景技術】
【０００２】
従来から、住戸内にて発生するセキュリティ異常として、住戸内に侵入した不審者等の存在を警報発報するインターホン装置が開示されている（例えば、特許文献１を参照。）。
【０００３】
このインターホン装置において、住戸内に設置されるインターホン親機には、防犯警戒設定中に発生した住戸内への不審者等の侵入を警報音の鳴動により住戸内に警報発報するための親機スピーカと、同様な内容の警報報知画面を表示するためのモニタユニットとが備えられており、この警報発報の動作は、ＣＰＵ回路により制御されるものである。
【０００４】
また、戸外（住戸外）に設置されるインターホン子機には、防犯警戒設定中に発生した住戸内への不審者等の侵入を警報音の鳴動により戸外（住戸外）に警報発報するための子機スピーカが備えられており、この警報発報の動作は、インターホン親機のＣＰＵ回路により制御されるものである。
【０００５】
【特許文献１】特開２００２−８１６８号公報
【発明の開示】
【発明が解決しようとする課題】
【０００６】
背景技術に記載した特許文献１のインターホン装置において、防犯警戒設定中に発生した住戸内への不審者等の侵入について警報発報を行うにあたり、インターホン子機の子機スピーカの使用による戸外（住戸外）への長時間の警報発報は、近隣住戸に対して騒音となるため、通常、インターホン親機のＣＰＵ回路の制御により一定時間の経過後に停止してしまうことが多く、また、不審者等自らが警報発報の復旧動作、すなわち、警報音の鳴動を停止させる操作を行うことがあるにも関わらず、当該不審者等の侵入があったことの履歴を確認する手段が当該子機に何ら備えられていないため、例えば、居住者が防犯警戒設定を解除して帰宅する際、不審者等の存在に気付くことなく住戸内に潜んでいた当該不審者等と遭遇する虞があり防犯性が低下していた。
【０００７】
本発明は、これらの難点を解消するためになされたもので、住戸内にて発生したセキュリティ異常の警報発報を、視覚的報知手段及び聴覚的報知手段を通じて住戸外に報知し、計時機能をもとに視覚的報知手段を及び聴覚的報知手段を制御することにより、セキュリティ異常の発生履歴を住戸外から容易に確認させて防犯性を高めることができるテレビドアホン装置を提供することを目的としている。
【課題を解決するための手段】
【０００８】
前述の目的を達成するため、本発明の第１の態様であるテレビドアホン装置は、住戸外に設置されカメラを有する玄関子機と、住戸内に設置され伝送路を経由して接続される玄関子機からの呼び出しに応答して通話を成立させるとともに玄関子機のカメラにて撮像された映像を出画するためのモニタを有する居室親機と、居室親機に少なくとも１台接続可能であり、住戸内にて発生するセキュリティ異常を検知するためのセンサとが設けられている。玄関子機には、センサにて検知されたセキュリティ異常を警報発報するための子機スピーカ及び子機警報表示灯を備えている。居室親機には、センサにて検知されたセキュリティ異常を警報発報するための親機スピーカ及び親機警報表示灯と、親機スピーカ及び玄関子機の子機スピーカにて行う警報発報時間を計時するための第１の計時部と、玄関子機の子機スピーカ、親機スピーカ及び親機警報表示灯の使用による警報発報の動作をそれぞれ停止させるための警報発報停止ボタンと、警報発報の動作が開始してから警報発報停止ボタンが操作されるまでの時間を計時するための第２の計時部と、警報発報停止ボタンの操作の有効又は無効を第２の計時部により判別し、玄関子機の子機警報表示灯の使用による警報発報を制御するためのＣＰＵとを備えている。
【０００９】
また、本発明の第２の態様であるテレビドアホン装置は、本発明の第１の態様において、居室親機には、玄関子機の子機警報表示灯の警報発報パターンを設定・変更するための操作画面と警報発報停止ボタンの操作が有効又は無効であるかを判別するための時間を変更する操作画面とをそれぞれ記憶するための画面記憶部と、画面記憶部から読み出した操作画面をモニタに表示させるためのＣＰＵとを備えている。
【発明の効果】
【００１０】
本発明のテレビドアホン装置によれば、居室親機に少なくとも１つ接続可能なセンサにてセキュリティ異常が検知されると、これを検出した居室親機のＣＰＵの制御により第１の計時部にて計時される警報発報時間内、親機スピーカ及び玄関子機の子機スピーカの使用による警報発報を行うことができ、この計時がタイムアップになると、ＣＰＵの制御により親機スピーカ及び子機スピーカの使用による警報発報が停止されるため、特に、子機スピーカの使用による長時間の警報発報が騒音となる近隣住戸に対しての配慮が図られる。
【００１１】
また、本発明のテレビドアホン装置によれば、居室親機の第２の計時部にて計時される警報発報の動作が開始してから警報発報停止ボタンが操作されるまでの時間をもとに、当該警報発報停止ボタンの操作の有効又は無効を判別するにあたり、ＣＰＵは、例えば、居住者の操作の場合にのみ有効であると判別して玄関子機の子機警報表示灯の使用による警報発報を停止させる一方、住戸内に侵入した泥棒等の不審者による操作の場合には無効として子機警報表示灯の使用による警報発報を保持することにより、居住者にとっては、留守中に泥棒等の不審者が住戸内に侵入したことを容易に確認することができるばかりでなく、不用意に防犯警戒モードを解除して住戸内に帰宅し、予め潜んでいた泥棒等の不審者に遭遇することを容易に避けることができ防犯性が高められる。
【００１２】
さらに、本発明のテレビドアホン装置によれば、玄関子機の子機警報表示灯の警報発報パターンを容易に設定・変更することができるばかりでなく、警報発報停止ボタンの操作が有効又は無効であるかを判別するための時間についても容易に変更することができる。
【発明を実施するための最良の形態】
【００１３】
以下、本発明のテレビドアホン装置を適用した最良の実施の形態例について、図面を参照して説明する。
【００１４】
図１は、本発明の最良の実施の形態例として、実施例によるテレビドアホン装置の具体的な構成を示すブロック図である。このテレビドアホン装置には、住戸外、例えば、玄関先に設置され来訪者が住戸内に在室中の居住者を呼び出して通話を成立させるとともに、住戸内にて発生するセキュリティ異常、ここでは、泥棒等の不審者による住戸内への侵入を警報発報するための玄関子機１と、住戸内にて発生するセキュリティ異常を検知するためのセンサ２と、住戸内に設置され、子機／親機ラインＬ1を経由して接続される玄関子機１からの呼び出しに応答した居住者が来訪者との間で通話を成立させるとともに、センサ／親機ラインＬ2を経由して接続されるセンサ２にて検知されたセキュリティ異常を警報発報するための居室親機３とが設けられている。なお、センサ２は、図示のような１台に限定されるものではなく、例えば、センサ／親機ラインＬ2を経由して居室親機３に接続される限り、より複数台のセンサ２、２、・・・（図示せず。）を適用することができる。また、少なくとも１台のセンサ２にて検知されるセキュリティ異常としては、泥棒等の不審者による住戸内への侵入に限定されるものではなく、例えば、火災やガス漏れの発生、徘徊者による所定エリア外への移動等も適用することができる。
【００１５】
ここで、玄関子機１には、子機操作部１００、カメラ１０１、子機映像処理部１０２、子機マイク１０３、子機マイクアンプ１０４、子機スピーカ１０５、子機スピーカアンプ１０６、子機警報表示灯１０７及び子機Ｉ／Ｆ（インターフェース）１０８が備えられている。
【００１６】
この玄関子機１において、子機操作部１００は、来訪者が居住者を呼び出すために操作するものであり、例えば、呼出ボタン１００ａにて構成されている。
【００１７】
カメラ１０１は、呼出操作を行った来訪者の映像や住戸外の周囲近傍の映像（監視映像を含む。）を撮像するためのものであり、例えば、ＣＣＤ、ＣＭＯＳ等の各種の撮像媒体にて構成されている。また、子機映像処理部１０２は、カメラ１０１にて撮像された映像である電気信号の映像信号を信号処理する例えば、ＦＭ変調、増幅等を行うためのものである。
【００１８】
子機マイク１０３は、来訪者が居住者との間で通話を成立させるにあたり音声（送話音声）を入力するためのものである。また、子機マイクアンプ１０４は、子機マイク１０３にて入力される音声（送話音声）である電気信号の音声信号を増幅するためのものである。
【００１９】
子機スピーカ１０５は、来訪者が居住者との間で通話を成立させるにあたり当該居住者の音声（受話音声）を出力するとともに、居室親機３の後述する警報音生成部３０６にて生成されるセキュリティ異常を警報発報するための警報音（警報メッセージを含む。）を出力するものである。また、子機スピーカアンプ１０６は、子機スピーカ１０５にて出力される音声（受話音声）である電気信号の音声信号又は警報音（警報メッセージを含む。）である電気信号の警報音信号を増幅するためのものである。
【００２０】
子機警報表示灯１０７は、居室親機３の後述する子機警報表示灯制御部３０８により制御され、セキュリティ異常を警報発報するために所定の警報発報パターンで点滅又は点灯されるものであり、例えば、ＬＥＤ（発光ダイオード）にて構成されている。
【００２１】
子機Ｉ／Ｆ１０８は、子機操作部１００から子機／親機ラインＬ1への信号伝送路と、子機映像処理部１０２から子機／親機ラインＬ1への信号伝送路と、子機マイクアンプ１０４から子機／親機ラインＬ1への信号伝送路と、子機／親機ラインＬ1から子機スピーカアンプ１０６への信号伝送路と、子機／親機ラインＬ1から子機警報表示灯１０７への信号伝送路とをそれぞれ形成するためのものである。
【００２２】
また、居室親機３には、モニタ３００、親機映像処理部３０１、親機マイク３０２、親機マイクアンプ３０３、親機スピーカ３０４、親機スピーカアンプ３０５、警報音生成部３０６、親機警報表示灯３０７、子機警報表示灯制御部３０８、親機操作部３０９、第１、第２の各計時部３１０、３１１、画面記憶部３１２、ＣＰＵ３１３、子機側親機Ｉ／Ｆ３１４及びセンサ側親機Ｉ／Ｆ３１５が備えられている。
【００２３】
この居室親機３において、モニタ３００は、ＣＰＵ３１３により出画状態に制御され、来訪者による玄関子機１からの呼び出しがあることを示す呼出表示画面と、玄関子機１のカメラ１０１にて撮像された映像を出画するための映像出画画面と、センサ２にて検知されたセキュリティ異常を示す警報発報画面と、玄関子機１の子機警報表示灯１０７の警報発報パターンを設定・変更するための操作画面と、親機操作部３０９を構成する警報発報停止ボタン３０９ｂの操作が有効又は無効であるかを判別するための時間を変更する操作画面とをそれぞれ表示／出画するものであり、例えば、ＬＣＤ、ＰＤＰ、有機ＥＬディスプレイ等の各種の出画表示媒体にて構成されている。また、親機映像処理部３０１は、ＣＰＵ３１３により制御され、玄関子機１から子機／親機ラインＬ1を経由して伝送されてくる電気信号の映像信号を信号処理する例えば、ＦＭ復調、増幅等を行い、玄関子機１のカメラ１０１にて撮像された映像をモニタ３００に出画させるためのものである。
【００２４】
親機マイク３０２は、居住者が来訪者との間で通話を成立させるにあたり音声（送話音声）を入力するためのものである。また、親機マイクアンプ３０３は、親機マイク３０２にて入力される音声（送話音声）である電気信号の音声信号を増幅するためのものである。
【００２５】
親機スピーカ３０４は、来訪者が居住者との間で通話を成立させるにあたり当該居住者の音声（受話音声）を出力するとともに、警報音生成部３０６にて生成されるセキュリティ異常を警報発報するための警報音（警報メッセージを含む。）を出力するものである。また、親機スピーカアンプ３０５は、親機スピーカ３０４にて出力される音声（受話音声）である電気信号の音声信号又は警報音（警報メッセージを含む。）である電気信号の警報音信号を増幅するためのものである。
【００２６】
警報音生成部３０６は、ＣＰＵ３１３により制御され、親機スピーカ３０４及び玄関子機１の子機スピーカ１０５にて出力させるセキュリティ異常を警報発報するための警報音（警報メッセージを含む。）である電気信号の警報音信号を生成するものである。
【００２７】
親機警報表示灯３０７は、ＣＰＵ３１３により制御され、セキュリティ異常を警報発報するために所定の警報発報パターンで点滅又は点灯されるものであり、例えば、ＬＥＤ（発光ダイオード）にて構成されている。
【００２８】
子機警報表示灯制御部３０８は、ＣＰＵ３１３により制御され、玄関子機１の子機警報表示灯１０７を所定の警報発報パターンで点滅又は点灯させるためのものである。
【００２９】
親機操作部３０９は、ＣＰＵ３１３により操作検出され、来訪者による玄関子機１からの呼び出しがあることを確認した居住者が応答し、親機マイク３０２及び親機スピーカ３０４の使用による通話を成立させるための応答操作、又は成立中の通話を終了するための終話操作を行う通話ボタン３０９ａと、玄関子機１のカメラ１０１を駆動させモニタ３００を出画状態にするためのモニタボタン３０９ｂと、センサ２にてセキュリティ異常を検知させるための防犯警戒設定を行うための警戒設定ボタン３０９ｃと、玄関子機１の子機スピーカ１０５、親機スピーカ３０４及び親機警報表示灯３０７の使用による警報発報の動作をそれぞれ停止させるための警報発報停止ボタン３０９ｄとで構成されている。なお、前述の通話ボタン３０９ａ、モニタボタン３０９ｂ、警戒設定ボタン３０９ｃ及び警報発報停止ボタン３０９ｄはそれぞれ、モニタ３００の前面に配置されるタッチパネルとして設けることもできる。
【００３０】
第１の計時部３１０は、ＣＰＵ３１３により制御され、親機スピーカ３０４及び玄関子機１の子機スピーカ１０４にて行う警報発報時間を計時するためのものである。また、第２の計時部３１１は、ＣＰＵ３１３により制御され、警報発報の動作が開始してから親機操作部３０９を構成する警報発報停止ボタン３０９ｄが操作されるまでの時間を計時するためのものである。なお、第１、第２の各計時部３１０、３１１は、前述のような個別の態様ではなく、例えば、単一の当該計時部として設けることもできる。
【００３１】
画面記憶部３１２は、ＣＰＵ３１３により制御され、モニタ３００に表示させる前述の操作画面を記憶するためのものであり、例えば、ＲＡＭ、ＥＥＰＲＯＭ等の各種の記憶媒体にて構成されている。
【００３２】
ＣＰＵ３１３は、当該居室親機の構成各部を制御するためのものであり、具体的な制御として、例えば、親機操作部３０９を構成する警報発報停止ボタン３０９ｄの操作が有効又は無効であるかを第２の計時部３１１により判別し、玄関子機１の子機警報表示灯１０７の使用による警報発報を制御することができるばかりでなく、画面記憶部３１２から読み出した操作画面をモニタ３００に表示させることができる。
【００３３】
子機側親機Ｉ／Ｆ３１４は、子機／親機ラインＬ1から親機映像処理部３０１への信号伝送路と、親機マイクアンプ３０３から子機／親機ラインＬ1への信号伝送路と、子機／親機ラインＬ1から親機スピーカアンプ３０５への間の信号伝送路と、警報音生成部３０６から子機／親機ラインＬ1への間の信号伝送路と、子機警報表示灯制御部３０８から子機／親機ラインＬ1への信号伝送路と、ＣＰＵ３１３及び子機／親機ラインＬ1の間の信号伝送路とをそれぞれ形成するためのものである。また、センサ側親機Ｉ／Ｆ３１５は、ＣＰＵ３１３及びセンサ／親機ラインＬ2の間の信号伝送路を形成するためのものである。
【００３４】
このように構成された本発明の実施例によるテレビドアホン装置において、以下、具体的な動作について説明する。なお、同実施例において、住戸外に居る来訪者が住戸内に在室中の居住者を呼び出すにあたり玄関子機１の子機操作部１００を構成する呼出ボタン１００ａを使用して所定の呼出操作を行い、この呼び出しがあることを居室親機３のモニタ３００及び親機スピーカ３０４を使用して報知する呼び出し・呼出報知の各動作と、玄関子機１のカメラ１０１にて撮像された映像を居室親機３のモニタ３００に出画させる映像撮像・出画の各動作と、前述の呼び出しを確認した居住者が居室親機３の親機操作部３０９を構成する通話ボタン３０９ａを使用して所定の応答操作を行い、居住者が使用する親機マイク３０２及び親機スピーカ３０４と来訪者が使用する子機マイク１０３及び子機スピーカ１０５との間の信号伝送路、すなわち、通話路を経由して音声信号を送受信し、通話を成立させる動作と、通話ボタン３０９ａを使用して所定の終話操作を行い成立中の通話を終了させる動作と、居住者が居室親機３の親機操作部３０９を構成するモニタボタン３０９ｂを使用して所定のモニタ操作を行い、玄関子機１のカメラ１０１にて撮像される住戸外の映像をモニタ３００に出画させてモニタ監視する動作とはそれぞれ、特許公報等に開示された各種のインターホン装置（インターホンシステム）において公知の技術事項であるため、その説明は省略するものとする。
【００３５】
図１において、住戸内に在室中の居住者は、外出のように住戸を留守にする前に居室親機３の親機操作部３０９を構成する警戒設定ボタン３０９ｃを使用して所定の設定操作を行うことができる。この操作を検出したＣＰＵ３１３は、センサ２にてセキュリティ異常の発生を監視させるための防犯警戒モードに設定される。
【００３６】
前述の防犯警戒モード時において、センサ２にてセキュリティ異常を検知する例えば、泥棒等の不審者による住戸内への侵入を検知すると、このセンサ２にて生成された異常検知信号がセンサ／親機ラインＬ2、居室親機３のセンサ側親機Ｉ／Ｆ３１５を経由してＣＰＵ３１３に伝送される。
【００３７】
居室親機３のＣＰＵ３１３は、センサ２からの異常検知信号を受信すると、泥棒等の不審者による住戸内への侵入がありセキュリティ異常状態であることを検出し、その旨の警報メッセージや絵データ等をモニタ３００に表示させるとともに、親機警報表示灯３０７を所定の警報発報パターンで点滅又は点灯させることにより、住戸内に視覚的報知手段を通じて警報発報を行うことができる。また、ＣＰＵ３１３は、第２の計時部３１１における計時を開始させるとともに、第１の計時部３１０にて計時される警報発報時間内、警報音生成部３０６を制御して警報音信号を生成させる。この警報音信号は、警報音生成部３０６から親機スピーカアンプ３０５を経由して親機スピーカ３０４と、警報音生成部３０６から子機側親機Ｉ／Ｆ３１４、子機／親機ラインＬ1、玄関子機１の子機Ｉ／Ｆ１０８、子機スピーカアンプ１０６を経由して子機スピーカ１０５とにそれぞれ伝送され、泥棒等の不審者による住戸内への侵入がありセキュリティ異常状態である旨の警報音（警報メッセージを含む。）を、第１の計時部３１０にて計時される警報発報時間内、各スピーカ３０４、１０２から出力させることにより、住戸内及び住戸外の周囲近傍に対しそれぞれ、聴覚的報知手段を通じて警報発報を行うことができる。さらに、ＣＰＵ３１３は、子機警報表示灯制御部３０８を制御して玄関子機１の子機警報表示灯１０７を所定の警報発報パターンで点滅又は点灯させるための表示灯駆動信号を生成させる。この表示灯駆動信号は、子機警報表示灯制御部３０８から子機側親機Ｉ／Ｆ３１４、子機／親機ラインＬ1、玄関子機１の子機Ｉ／Ｆ１０８を経由して子機警報表示灯１０７に伝送され、子機警報表示灯１０７を所定の警報発報パターンで点滅又は点灯させることにより、住戸外の周囲近傍に対し、聴覚的報知手段を通じて警報発報を行うことができる。
【００３８】
なお、居室親機３において、泥棒等の不審者による住戸内への侵入がありセキュリティ異常状態であることを検出したＣＰＵ３１３は、一般公衆回線やインターネット等の各種の汎用ネットワークを経由して警備会社等の管理サーバ（図示せず。）が接続されている場合には、この管理サーバに警報移報することもでき、警備会社等による迅速な対応が可能となる。
【００３９】
また、居室親機３において、第１の計時部３１０にて計時される警報発報時間がタイムアップになると、これを検出したＣＰＵ３１３は、警報音生成部３０６への制御を停止する一方、子機警報表示灯３０７及び子機警報表示灯制御部３０８へのそれぞれの制御を保持することができる。これらの制御により、居室親機３の親機スピーカ３０４及び玄関子機１の子機スピーカ１０２からの警報音（警報メッセージを含む。）の出力が停止される一方、親機警報表示灯３０７及び玄関子機１の子機警報表示灯１０７のそれぞれの点滅又は点灯が保持されるため、第１の計時部３１０にて計時される警報発報時間がタイムアップになった場合であっても、前述のセキュリティ異常の警報発報を、視覚的報知手段を通じて継続させることができ、特に、玄関子機１の子機スピーカ１０２からの警報音（警報メッセージを含む。）の長時間の出力が騒音となる近隣住戸に対しての配慮が図られる。
【００４０】
次に、前述のセキュリティ異常を警報発報するための警報音（警報メッセージを含む。）が居室親機３の親機スピーカ３０４から出力されている時間内、すなわち、第１の計時部３１０にて計時される警報発報時間内において、住戸内に侵入した泥棒等の不審者が、警報発報の動作を停止させるために、居室親機３の親機操作部３０９を構成する警報発報停止ボタン３０９ｄを操作すると、この操作を検出したＣＰＵ３１３は、警報発報の動作が開始してから警報発報停止ボタン３０９ｄが操作されるまでの時間を第２の計時部３１１にて確認する。ここでは、警報発報停止ボタン３０９ｄの操作者が泥棒等の不審者であり当該警報発報停止ボタンが操作された時間が予め設定されている所定の時間でないと検出するＣＰＵ３１３は、警報発報停止ボタン３０９ｄの操作が無効であると判別し、警報音生成部３０６及び子機警報表示灯制御部３０８への制御をそれぞれ停止する一方、子機警報表示灯制御部３０８への制御を保持することができる。これらの制御により、居室親機３の親機スピーカ３０４及び玄関子機１の子機スピーカ１０２からの警報音（警報メッセージを含む。）の出力が停止されるとともに、親機警報表示灯３０７が消灯する一方、子機警報表示灯１０７の点滅又は点灯が保持されるため、住戸内に侵入した泥棒等の不審者による警報発報の動作停止操作が行われた場合であっても、玄関子機１の子機警報表示灯１０７の点滅又は点灯は保持されることから、住戸内に帰宅しようとする居住者は、留守中に泥棒等の不審者が住戸内に侵入したことを容易に確認することができるばかりでなく、不用意に防犯警戒モードを解除して住戸内に帰宅し、予め潜んでいた泥棒等の不審者に遭遇することを容易に避けることができ防犯性が高められる。
【００４１】
次に、前述のセキュリティ異常を警報発報するために所定の警報発報パターンで点滅又は点灯されている玄関子機１の子機警報表示灯１０７を消灯させるために、住戸内に在室中の居住者が居室親機３の親機操作部３０９を構成する警報発報停止ボタン３０９ｃを操作すると、この操作を検出したＣＰＵ３１３は、警報発報の動作が開始してから警報発報停止ボタン３０９ｄが操作されるまでの時間を第２の計時部３１１にて確認する。ここでは、警報発報停止ボタン３０９ｄの操作者が居住者であり当該警報発報停止ボタンが操作された時間が予め設定されている所定の時間であると検出するＣＰＵ３１３は、警報発報停止ボタン３０９ｄの操作が有効であると判別し、子機警報表示灯制御部３０８への制御を停止することができる。この制御により、玄関子機１の子機警報表示灯１０７を消灯させることができる。
【００４２】
なお、住戸内に在室中の居住者は、居室親機３の親機操作部３０９を構成するタッチパネル３０９ｅを使用して所定の画面読出操作を行うと、この操作を検出したＣＰＵ３１３は、玄関子機１の子機警報表示灯１０７の警報発報パターンを設定・変更するための操作画面と、親機操作部３０９を構成する警報発報停止ボタン３０９ｂの操作が有効又は無効であるかを判別するための時間を変更する操作画面とをそれぞれ画面記憶部３１２から読み出してモニタ３００に表示させることができる。この後、居住者は、モニタ３００に表示されている操作画面を確認しながらタッチパネル３０９ｅを使用して所定の設定・変更操作を行うことにより、子機警報表示灯１０７の警報発報パターンを設定・変更することができるばかりでなく、親機操作部３０９を構成する警報発報停止ボタン３０９ｂの操作が有効又は無効であるかを判別するための時間を変更することができる。
【００４３】
最後に、本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００４４】
【図１】本発明の実施例によるテレビドアホン装置の具体的な構成を示すブロック図。
【符号の説明】
【００４５】
１……玄関子機
１０１……カメラ
１０５……子機スピーカ
１０７……子機警報表示灯
２……センサ
３……居室親機
３００……モニタ
３０４……親機スピーカ
３０７……親機警報表示灯
３０９ｄ……警報発報停止ボタン
３１０……第１の計時部
３１１……第２の計時部
３１２……画面記憶部
３１３……ＣＰＵ
【図１】
2009053817.tif 000003